(57)【要約】【課題】ＦＣＳエラーフレームはから求まるＦＥＲは基地局切替の判定に有用な情報であるが、全てのＦＣＳエラーフレームを受信処理してしまうと、無線端末は消費電力が増大してしまうため、従来の技術では無線端末が通信に最適な無線基地局を、ＦＣＳが正常なビーコンの受信信号強度（ＲＳＳＩ）から決定していた。【解決手段】ＦＣＳエラーフレームを含めて、受信フレームを切替対象の基地局からフレームか否かで分類し、分類結果に応じて受信割込を制御することで、消費電力を削減と切替対象基地局の無線状態を取得を両立させる。【選択図】図１
2007043260.tif 000002
【特許請求の範囲】
【請求項１】
複数の基地局を切り替えて通信を行う無線ネットワークにおいて、
切替対象の基地局に関する情報を保持する基地局情報保持手段と、
受信フレームを前記切替対象の基地局からか否かを分類するフレーム分類手段と、
複数ある切替対象の基地局のうち、前記基地局情報保持手段に保持されている基地局情報を用いた切替対象の基地局からの受信フレームの受信処理を起動する割り込み発生手段と、
を備えた無線ネットワークにおけるフレーム受信方法。
【請求項２】
受信フレームの送信元に応じて前記切替対象の基地局の情報を更新する基地局情報更新分類手段を備えた請求項１記載の無線ネットワークにおけるフレーム受信方法。
【請求項３】
割込タイミングを変更する割り込み発生手段を備えた請求項１記載の無線ネットワークにおけるフレーム受信方法。
【請求項４】
複数の基地局を切り替えて通信を行う無線ネットワークにおいて、
前記基地局情報保持手段が保持する基地局毎の無線状態としてＦＣＳ（Ｆｒａｍｅ  Ｃｈｅｃｋ  Ｓｅｑｕｅｎｃｅ）エラーフレーム数を用いる請求項１記載の無線ネットワークにおけるフレーム受信方法。
【請求項５】
複数の基地局を切り替えて通信を行う無線ネットワークにおいて、
前記基地局情報保持手段が保持する基地局毎の無線状態として受信信号強度（ＲＳＳＩ）を用いる請求項１記載の無線ネットワークにおけるフレーム受信方法。
【請求項６】
複数の基地局を切り替えて通信を行う無線ネットワークの無線通信部であって、
切替対象の基地局に関する情報を保持する基地局情報保持手段と、
受信フレームを前記切替対象の基地局からか否かを分類するフレーム分類手段と、
複数ある切替対象の基地局のうち、前記基地局情報保持手段に保持されている基地局情報を用いた切替対象の基地局からの受信フレームの受信処理を起動する割り込み発生手段と、
を備えた無線ネットワークの無線通信部。
【請求項７】
受信フレームの送信元に応じて前記切替対象の基地局の情報を更新する基地局情報更新分類手段を備えた請求項６記載の無線ネットワークの無線通信部。
【請求項８】
割込タイミングを変更する割り込み発生手段を備えた請求項６記載の無線ネットワークの無線通信部。
【請求項９】
複数の基地局を切り替えて通信を行う無線ネットワークにおいて、
前記基地局情報保持手段が保持する基地局毎の無線状態としてＦＣＳ（Ｆｒａｍｅ  Ｃｈｅｃｋ  Ｓｅｑｕｅｎｃｅ）エラーフレーム数を用いる請求項６記載の無線ネットワークの無線通信部。
【請求項１０】
複数の基地局を切り替えて通信を行う無線ネットワークにおいて、
前記基地局情報保持手段が保持する基地局毎の無線状態として受信信号強度（ＲＳＳＩ）を用いる請求項６記載の無線ネットワークの無線通信部。
【発明の詳細な説明】
【技術分野】
【０００１】
本発明は、複数の基地局間を切替可能な無線通信方式において、電池電源で駆動する無線端末のための無線通信部とそのパワーマネージメント方式に関するものである。特にＩＥＥＥ８０２．１１準拠の無線ＬＡＮ通信を行う無線ＬＡＮ端末のための無線通信部とそのパワーマネージメント方式に関するものである。
【背景技術】
【０００２】
無線ＩＰ電話、無線ＴＶ電話等の移動することが可能な無線ＬＡＮ端末では、電源として電池を利用するが、給電無しでの長時間の利用を可能にするためには、電力消費を低減するためのパワーマネージメントが必須である。
【０００３】
ＷＥＢのブラウザーのようなデータの送受信の開始が自端末側からしかアプリケーションしか利用しない場合では、通信のない場合にはＣＰＵや無線通信ＬＳＩの電源をＯｆｆにするようなパワーマネージメントでもよいが、無線ＩＰ電話のように相手先から着信で通信が開始されるようなアプリケーションを利用する場合には、ＣＰＵや無線通信用ＬＳＩの電源をＯＦＦとするようなパワーマネージメントは適用できない。
【０００４】
音声・映像等の通信を行っていない場合つまりＣＰＵのよる処理が必要でない場合には、ＣＰＵはスリープしておき、基地局からフレームを受信できるように無線通信用ＬＳＩのみに給電しておき、フレームを受信した場合には無線通信用ＬＳＩからの受信割込を発生させてＣＰＵをリジュームするといった仕組みが一般的である。
【０００５】
また、基地局から送信されるビーコン内に端末宛フレームの有無を表す情報や、フレームが送信されてくる時間を予め取り決めておく等の手段と組み合わせることにより、無線通信用ＬＳＩ自体の電源Ｏｎ／Ｏｆｆを制御するパワーマネージメント方式もある。
【０００６】
一方、無線ＬＡＮではＩＳＭバンド（Ｉｎｄｕｓｔｒｙ  Ｓｃｉｅｎｃｅ  Ｍｅｄｉｃａｌ  ｂａｎｄ）という免許不要の周波数帯を利用しているため、同一または隣接チャンネルに接続可能な基地局と接続不可能な基地局が混在することが避けられない。
【０００７】
このため、通常の無線機器では、接続している基地局以外からフレームによって、ＣＰＵが起動することを防ぐために、ネットワークＩＤ等が異なるフレームやＦＣＳ（Ｆｒａｍｅ  Ｃｈｅｃｋ  Ｓｅｑｕｅｎｃｅ）エラーフレームは無線通信用ＬＳＩで廃棄する仕組みが一般的である。
【０００８】
従来の無線ＬＡＮの基地局切替において消費電力制御を考慮したものがある（例えば、特許文献１参照）。
【０００９】
図１０、図１１、図１２、図１３を用いて従来の基地局切替を考慮した消費電力制御方法を示す。
【００１０】
図１０は、従来の方式における基地局切替処理手段内の割込処理のフローチャートである。
【００１１】
ＦＣＳエラーでなくかつ自端末宛のフレームを受信した場合には、受信割込が発生し（Ｓ１００１）、受信バッファ上のフレームがビーコンか否かを判定し（Ｓ１００２）、受
信したフレームがビーコンの場合（Ｓ１００３）には、基地局切替判定処理を呼び出す（Ｓ１００４）。
【００１２】
図１１は、従来の方式における基地局切替処理のフローチャートである。
【００１３】
本発明との差異となる部分に関してのみ簡単に説明する。
【００１４】
現在接続している基地局から受信したビーコンのＲＳＳＩ（受信信号強度  Ｒｅｃｅｉｖｅｄ  Ｓｉｇｎａｌ  Ｓｔｒｅｎｇｔｈ  Ｉｎｄｉｃａｔｏｒ）を取得し（Ｓ１１０３）、前回接続した基地局から受信したビーコンのＲＳＳＩを比較して（Ｓ１１０４）、前回接続した基地局のＲＳＳＩの方が大きい場合、前回接続した基地局へ接続を切り替える（Ｓ１１０５）。
【００１５】
図１２は、従来の方式における基地局切替処理の課題を示す図である。
【００１６】
図１２において、１２００は無線端末を、１２０１は基地局を示す。
【００１７】
無線端末１２００と基地局１２０１ａ、１２０１ｂのネットワークＩＤは一致しており、接続可能である。
【００１８】
一方基地局１２０１ｃは別のネットワークＩＤであり、無線端末１２００は接続できない。
【００１９】
図１３は、従来の方式における切替対象基地局別の無線通信状態を示す図である。
【００２０】
従来の無線端末はこの図１２に示した基地局のうちネットワークＩＤが同じ、基地局１２０１ａ、１２０１ｂの情報のみを保持している。
【００２１】
基地局１２０１ａよりも基地局１２０１ｂの方のＲＳＳＩが大きいため、このような状況では無線端末１２００は、基地局１２０１ｂに接続する。
【００２２】
従来の基地局切替を考慮した消費電力制御方法として、ＦＣＳが正常なフレームに関してのみ無線通信ＬＳＩが割込を発生することで消費電力を削減し、さらにＦＣＳが正常なビーコンのＲＳＳＩに基づき基地局切替の要否を判定していた。
【００２３】
また、ＩＥＥＥ８０２．１１における無線フレームの受信方法で消費電力制御を考慮しているものがある（例えば、非特許文献１参照）。
【００２４】
非特許文献１にあるように、通常の無線通信用ＬＳＩは、ＦＣＳエラーフレームやネットワークＩＤが異なる等自端末宛で無いフレームは廃棄し、ＣＰＵへの受信割込を発生させない。
【特許文献１】特開２００１−１６８８７９号公報
【非特許文献１】阪田史郎編著、「ユビキタス技術無線ＬＡＮ」、オーム社、２００４年６月
【発明の開示】
【発明が解決しようとする課題】
【００２５】
非特許文献１に挙げたように、通常はＦＣＳにエラーであるフレームは廃棄されるために受信割込が発生しないため、ＦＣＳエラーフレームがどの基地局からのフレームであるかの分類自体ができないという課題がある。
【００２６】
特に無線ＬＡＮでは、ＩＳＭバンドという免許不要の周波数帯を利用しているため、フレームを受信可能だが認証等で接続不可能な他の基地局との混在することが想定される。
【００２７】
このため、通常のネットワークＩＤが異なるフレームやＦＣＳエラーフレームを受信する度に、フレームの処理を行ってしまうと無線端末の省電力を阻害してしまうため、通常このようなフレームは無線通信用ＬＳＩが廃棄する。
【００２８】
無線端末の一部には、起動してからのＦＣＳエラーフレーム数をカウントする機能を持つものもあるが、単にＦＣＳエラーフレームの総数をカウントしているだけであり、複数ある切替先の基地局の時々刻々と変化する無線状態を示す情報としては不十分である。
【００２９】
無線通信用ＬＳＩには、無線状態の監視・解析を行うためにＦＣＳエラーフレームを含めて全てのフレームを受信するモード（Ｐｒｏｍｉｓｃモード）を持っているものもある。
【００３０】
Ｐｒｏｍｉｓｃモードを使用することで、ＦＣＳエラーフレームが受信できるようにはなるが、これでは切替対象外の基地局や、他の無線端末からのフレームなど無差別にフレームを受信し、受信割込が多発していしまい、省電力が実現できなくなるという課題がある。
【００３１】
特許文献１に挙げたように、従来は複数の基地局から正常に受信できたビーコンのＲＳＳＩの強弱に基づいて基地局切替処理の判定を行っていたが、ＲＳＳＩのみでは他の基地局等からの干渉の有無の状態を取得できないため、適切な基地局を選択できないという課題がある。
【００３２】
本発明は、省電力と無線状態のより良い基地局の検出を両立するための受信フレームのフィルタリング、およびフィルタリングした受信フレームから得られる基地局の無線状態に基づき適切な基地局への切替を実現することを目的とする。
【課題を解決するための手段】
【００３３】
上記課題を解決するために、複数の基地局を切り替えて通信を行う無線ネットワークにおいて、切替対象の基地局に関する情報を保持する基地局情報保持手段と、受信フレームを前記切替対象の基地局からか否かを分類するフレーム分類手段を備え、切替対象の基地局の情報を保持し、受信フレームの送信元が切替対象の基地局か否かで分類し、さらに受信フレームからＦＣＳエラーフレーム数やＲＳＳＩ等の送信元基地局の無線状態を取得し、複数ある切替対象の基地局から接続する基地局を選択して切替を行うものである。
【発明の効果】
【００３４】
受信フレームの送信元が切替対象の基地局か否かで分類することにより、受信割込の発生を抑制すうことで電力の消費を削減し、さらに受信フレームから取得した切替対象の基地局別のＦＣＳエラーフレーム数やＲＳＳＩ等の無線状態に基づき、複数ある切替対象の基地局から接続する基地局を選択することで、適切な基地局への切替を可能とする。
【００３５】
特に、無線状態としてＦＣＳエラーフレーム数とＦＣＳ正常フレームとの比率であるＦＥＲを用いることで、ＲＳＳＩでは判定できない干渉の発生頻度を、より適切な基地局への切替が可能となる。
【発明を実施するための最良の形態】
【００３６】
上記課題を解決するためになされた発明は、複数の基地局を切り替えて通信を行う無線
ネットワークにおいて、切替対象の基地局に関する情報を保持する基地局情報保持手段と、受信フレームを前記切替対象の基地局からか否かを分類するフレーム分類手段と、複数ある切替対象の基地局のうち、切替対象の基地局からの受信フレームの受信処理を起動する割り込み発生手段と、基地局情報保持手段に保持されている基地局情報を用いて切替対象の基地局からの受信フレームを割り込みによる受信処理手段と、を備えたことにより、受信処理のフレームに関する処理を切り替えることで消費電力の低減が可能にする。
【００３７】
また、基地局切替処理時間を短縮することができで、上位のアプリケーションが行っている音声・映像の途切れ・乱れを低減することが可能となる。
【００３８】
さらに、受信フレームの送信元に応じて前記切替対象の基地局の情報を更新する基地局情報更新分類手段を備えたことにより、最新の切替対象の基地局の情報を入手することが可能となる。
【００３９】
さらに、割込タイミングを変更する割り込み発生手段を備えたことにより、割込発生のタイミングまたは割込回数を制御することで消費電力の低減が可能にする。
【００４０】
また、取得した無線状態に応じて、送信速度や送信出力、再送回数、送信出力等を制御することにより、さらに消費電力の削減が可能となる。
【００４１】
さらに、基地局情報保持手段が保持する基地局毎の無線状態としてＦＣＳエラーフレーム数、あるいは、受信信号強度（ＲＳＳＩ）を用いることにより、無線の干渉が発生する状況でも、各基地局の無線状態の応じた基地局の選択を可能とする。
【実施例】
【００４２】
（実施の形態１）
図１４に、本発明の実施の形態１における無線端末の構成図を示す。
【００４３】
無線端末１４００は、無線通信部１００と、無線端末内部バス１４０１で接続されるＣＰＵ１４０２と、ＲＯＭ１４０３と、ＲＡＭ１４０４と、周辺ＩＦ１４０５と、から構成される。
【００４４】
無線通信部１００は受信割込によってＣＰＵ１４０２をリジュームし、リジュームしたＣＰＵ１４０２は無線通信部１００から受信フレームを取得し、ＣＰＵ１４０２は受信フレームに含まれるデータに応じて、ＲＯＭ１４０３、ＲＡＭ１４０４内のプログラムを実行し、音声、映像等のデータに関しては周辺ＩＦ１４０５を介して音声、映像の出力を行う。
【００４５】
図１５は、本発明の実施の形態１における無線端末の構成におけるプロトコルスタック上の処理範囲を示す図である。
【００４６】
図１５では、データリンク層以下は無線通信部１００で、ネットワーク層以上はＣＰＵで処理を行う。
【００４７】
本発明は、無線通信部からの割込によるＣＰＵのリジュームする時間、回数を削減することで、無線端末の電力消費を削減することを可能とする。
【００４８】
なお、無線通信部とＣＰＵ間のＩＦとしては、ＰＣやＰＤＡ等で用いられるＰＣＭＣＩＡ、ＳＤＩＯ、ＰＣＩ、ミニＰＣＩ等があるが、本発明はＩＦの種別に依らず同様な効果を有する。
【００４９】
なお、逆に無線端末からの音声、映像の送信は、受信時とは逆向きに処理され、ＣＰＵから無線通信部を介して無線フレームとして送信される。
【００５０】
送信フレームの送信レート、送信出力等を取得した基地局の情報を用いて変更することにより、ＣＰＵのリジューム時間等を制御することにより、消費電力の削減することも可能である。
【００５１】
図１は、本発明の実施の形態１におけるフレーム受信方法の構成を示す図である。
【００５２】
図１を用いて、本発明による無線通信における省電力と基地局切替を両立させるための受信割込処理の詳細を説明する。
【００５３】
基地局情報保持部１０７は、基地局毎に無線接続に必要なネットワークＩＤや認証用情報、また以前に接続できたか否かの情報等を保持する。
【００５４】
無線受信部１０１で受信された無線のフレームは、ＦＣＳ計算部１０２においてフレームのＦＣＳの値を再計算し、さらにフレーム内に含まれる送信元で計算されたＦＣＳの値と比較される。
【００５５】
ＦＣＳの値が一致したＦＣＳ正常フレームは、受信判定部１０３へ送られ、ＦＣＳの値が一致しないＦＣＳエラーフレームは、フレーム分類部１０６へ送られる。
【００５６】
受信判定部１０３において、ネットワークＩＤ、ＢＳＳＩＤ、宛先が自端末のＭＡＣアドレスまたはブロードキャストであるか等から自端末が受信すべきフレームか否かを判定する。
【００５７】
自端末宛と判定されたフレームは、受信割込発生部１０４へ送られ、自端末宛と判定されなかったフレームは、フレーム分類部１０６へ送られる。
【００５８】
フレーム分類部１０６は、受信フレームが基地局情報保持部１０７が保持する基地局の一覧に登録されているか否かを判定する。
【００５９】
切替対象として登録されている基地局からのフレームは、受信割込発生部１０４へ送られ、切替対象として登録されている基地局以外からのフレームは、フレーム廃棄部１０５へ送られる。
【００６０】
受信割込発生部１０４は、ＣＰＵがスリープしている場合には受信割込を発生させてＣＰＵをリジュームさせる。
【００６１】
なお、フレーム廃棄部１０５は、送られてきたフレームを廃棄する。図５は、本発明の実施の形態１におけるフレーム受信処理のフローチャートである。
【００６２】
無線フレームを受信した場合、受信したフレームのＦＣＳを再計算し（Ｓ５０１）、再計算したＦＣＳとフレーム内のＦＣＳを比較し（Ｓ５０２）、ＦＣＳが一致した場合にはＳ５０３へ進み、ＦＣＳが一致しない場合にはＳ５０６へ進む。
【００６３】
自端末宛のフレームか否かを判定し（Ｓ５０３）、自端末宛のフレームと判定された場合Ｓ５０４へ進み、自端末宛のフレームでない判定された場合Ｓ５０６へ進み、ＦＣＳが一致しない場合、および自端末宛でない場合には、切替対象として登録されている基地局
からか否かを判定し（Ｓ５０６）、切替対象の基地局からのフレームと判定された場合Ｓ５０４へ進み、切替対象の基地局以外からのフレームと判定された場合Ｓ５０５へ進み、切替対象の基地局以外からのフレームは廃棄し（Ｓ５０５）、自端末宛、または切替対象の基地局からと判定されたフレームに対して、ＣＰＵがスリープ状態の場合はＣＰＵをリジュームさせる（Ｓ５０４）。
【００６４】
無線通信では干渉や衝突によるフレーム誤りは避けられないため、フレームに信号誤りがないかを確認するためのＦＣＳが含まれている。
【００６５】
また、複数の基地局を識別するためにＩＤとしてＩＥＥＥ８０２．１１ではネットワークＩＤ１３０３が含まれている。
【００６６】
また、本発明は、基地局情報保持部１０７への基地局の登録方法を制限しないが、切替対象の基地局の登録方法としては、以下のような複数の方法がある。
【００６７】
上記の例で切替対象として登録されていない基地局からのフレームは廃棄しているが、切替対象として基地局と同一のネットワークＩＤを持つ基地局に関しては、切替対象に自動登録するか、ユーザに対して登録可能な基地局の候補として表示して、ユーザの操作に応じて切替対象として追加する等も可能である。
【００６８】
基地局情報更新手段で、切替対象の基地局が一つもまたは一定台数以下になった場合に受信した切替対象外の基地局を登録する等も可能である。
【００６９】
これ以外にも、通信端末上のアプリケーションからの設定する方法や、初めて起動した場合などで、切替対象の基地局が一つも登録されていない場合や登録可能台数以下の場合には、一定期間に受信されたフレームの送信元基地局を自動的に学習する方法などもある。
【００７０】
いずれにしろ、本発明の効果は、切替対象基地局の登録方法に依らない。
【００７１】
このため、基地局切替処理時間を短縮することで、上位のアプリケーションが行っている音声・映像の途切れ・乱れを低減することが可能となる。
【００７２】
（実施の形態２）
図２は、本発明の実施の形態２におけるフレーム受信方法の構成を示す図である。
【００７３】
無線受信部１０１、ＦＣＳ計算部１０２、受信判定部１０３、受信割込発生部１０４、フレーム廃棄部１０５、フレーム分類部１０６、基地局情報保持部１０７に関しては、実施の形態１と同等であるため説明を援用する。
【００７４】
基地局情報更新部２０１は、フレーム分類部１０６で送信元基地局別に分類されたフレームから、基地局別の無線状態を取得して、これを基地局情報保持部１０７に登録更新する。
【００７５】
なお、送信元基地局毎に取得する基地局情報としては、無線受信部で取得される受信信号強度、Ｓ／Ｎ比等があり、フレームから取得されるＦＥＲの元になるＦＣＳエラーフレーム数とＦＣＳ正常フレーム数、再送フレームか否かまたその再送フレーム数、基地局が定期的に送信するビーコンの受信漏れの有無とビーコン間隔から推測される受信漏れビーコン数、フレームの通し番号であるシーケンス番号に飛びの有無等がある。
【００７６】
基地局情報保持部１０７が、保持される無線状態としては、上記の各種情報の一つまたは複数の組み合わせを用いる。
【００７７】
ただし、基地局情報保持部１０７が保持する情報によって、本発明に効果は変わらない。
【００７８】
図６は、本発明の実施の形態２におけるフレーム受信処理のフローチャートである。
【００７９】
Ｓ５０１、Ｓ５０２、Ｓ５０３、Ｓ５０４、Ｓ５０５、Ｓ５０６のステップ関しては、実施の形態１と同等であるため説明を援用する。
【００８０】
切替対象と判定されたフレームに関しては、フレームより取得される無線状態を用いて基地局情報保持部１０７が保持している無線状態を更新する（Ｓ６０１）。
【００８１】
以上で説明したフレーム受信方法では、切替対象の基地局以外からのフレームに対して受信割込を発生させずに、基地局切替のための各基地局毎の無線状態を取得・更新することが可能である。
【００８２】
また、無線状態を取得するフレームは、ビーコン以外のデータフレームも利用することが可能であるので、現在接続している基地局とビーコン送出のタイミングが一致してしまっている他の基地局に対しても、無線状態を取得しているため切替先の基地局として選択することが可能である。
【００８３】
（実施の形態３）
図３は、本発明の実施の形態３におけるフレーム受信方法の構成を示す図である。
【００８４】
無線受信部１０１、ＦＣＳ計算部１０２、受信判定部１０３、受信割込発生部１０４、フレーム廃棄部１０５、フレーム分類部１０６、基地局情報保持部１０７に関しては、実施の形態１と同等であるため説明を援用する。
【００８５】
タイマー部３０１は、受信判定部１０３およびフレーム分類部１０６で送信元基地局別に分類されたフレームに対して、フレームの内容に従って受信割込のタイミングを調整する。
【００８６】
図７は、本発明の実施の形態３におけるフレーム受信処理のフローチャートである。
Ｓ５０１、Ｓ５０２、Ｓ５０３、Ｓ５０４、Ｓ５０５、Ｓ５０６のステップ関しては、実施の形態１と同等であるため説明を省略する。
【００８７】
切替対象と判定されたフレームに関しては、フレームより取得される無線状態や、基地局情報保持部１０７が保持している無線状態を元に受信割込を発生するタイミングを調整する（Ｓ７０１）。
【００８８】
なお、タイミングの調整方法として、フレームの送信元が現在接続中の基地局か否か、フレームの送信元が現在接続中でない基地局か否か、ビーコン等で基地局から通知される時間情報、音声や映像のような即時処理が必要なデータフレームか否か、さらには、速やかな基地局切替が必要とされるＦＣＳエラーフレームの連続発生やＲＳＳＩが急変等に応じて、割込を即時に行うかか割込を遅延させるか等がある。
【００８９】
ただし、タイマー部のタイミングの調整方法よって、本発明に効果は変わらない。
【００９０】
（実施の形態４）
図４に、本発明の実施の形態３におけるフレーム受信処理のフローチャートを示す。
【００９１】
図４の各構成要素は、実施の形態１、２、３で説明済みのため説明を援用する。
【００９２】
図８に、本発明の実施の形態４における基地局切替処理のフローチャートを示す。
【００９３】
受信割込が発生した場合、受信割込で挙がってきたフレームの送信元基地局を判定し（Ｓ８０１）、基地局情報保持部１０７に保持されている、現在接続中の基地局の無線状態と相互に比較して基地局切替の要否を決定し（Ｓ８０２）、基地局切替が必要と判定された場合には基地局切替を実行する（Ｓ８０３）。
【００９４】
図９は、本発明の実施の形態４における切替対象基地局別の無線通信状態を示す図である。
【００９５】
１３０１は基地局名、１３０２はＢＳＳＩＤ、１３０３はネットワークＩＤ、１３０４はチャンネル、９０１はＲＳＳＩ移動平均、９０２はＲＳＳＩ移動平均値である。
【００９６】
９０２のＦＥＲ移動平均値は、ＦＣＳエラーフレーム数とＦＣＳ正常フレーム数の比率の移動平均値である。
【００９７】
本実施の形態では、特に無線端末では、移動や他の無線機器からの影響によって、ＲＳＳＩやＦＥＲが時間変化するため、ＲＳＳＩやＦＥＲは起動開始から累積値や平均値では現在の無線環境を示す情報とはならないため、タイマー部３０１等と連動して、現時点からある時間遡った区間での平均値である移動平均値を用いている。
【００９８】
ＲＳＳＩ移動平均値とＦＥＲ移動平均値を用いて、接続を切り替える基地局の選択する評価関数の一例として、（ＲＳＳＩ移動平均値）−（ＦＥＲ移動平均値を引いた値）等がある。
【００９９】
従来の技術では図１３に示したように、無線端末１２００は、ネットワークＩＤで一致している無線基地局１２０１ａまたは１２０１ｂのビーコンのみを受信し、ＲＳＳＩの大小を比較して最もＲＳＳＩが大きな基地局１２０１ｂを接続先の基地局として選択していたが。
【０１００】
これに対して本発明に基づく無線端末では、基地局１２０１ａと１２０１ｂに関して、（ＲＳＳＩ移動平均値）−（ＦＥＲ移動平均値）の大小比較して、無線基地局１２０１ａを接続先の無線基地局として選択する。
【０１０１】
なお、ＦＣＳエラーが基地局を区別するためのＢＳＳＩＤやネットワークＩＤの部分や、自端末宛か否かを区別するための宛先アドレス等でエラーが起こっている可能性もあるが、各部の数ビットの差異は誤差として許容することで、基地局や宛先を推定することで対応可能である。
【０１０２】
さらに、送信元アドレス、シーケンスナンバー、さらいに上位層であるＴＣＰ／ＩＰ等を参照することで送信元基地局や自端末宛か否かを推定することが可能である。
【０１０３】
ＦＣＳエラーフレームに関しては、基地局切替の要否判定を行った後であれば廃棄しても構わない。
【０１０４】
実施の形態３および実施の形態４の構成によりまた、取得した無線状態に応じて、送信速度や送信出力、再送回数、送信出力等を制御することにより、さらに消費電力の削減が可能となる。
【産業上の利用可能性】
【０１０５】
本発明によるパワーマネージメント方式では、ＣＰＵがリジュームする時間を抑制した上で、切替対象となる他の基地局に関する無線状態を効率的に取得であり、現在接続中の基地局との無線接続が困難な状態になった場合に、既に無線状態を取得している切替対象基地局の中から簡単に無線環境が良い基地局を選択することが可能であり、速やかに基地局切替処理を実行可能であるため、連続したデータの送受信を行う無線データ通信に好適である。
【図面の簡単な説明】
【０１０６】
【図１】本発明の実施の形態１におけるフレーム受信方法の構成を示す図
【図２】本発明の実施の形態２におけるフレーム受信方法の構成を示す図
【図３】本発明の実施の形態３におけるフレーム受信方法の構成を示す図
【図４】本発明の実施の形態４におけるフレーム受信方法の構成を示す図
【図５】本発明の実施の形態１におけるフレーム受信処理のフローチャート
【図６】本発明の実施の形態２におけるフレーム受信処理のフローチャート
【図７】本発明の実施の形態３におけるフレーム受信処理のフローチャート
【図８】本発明の実施の形態４における基地局切替処理のフローチャート
【図９】本発明の実施の形態４における切替対象基地局別の無線通信状態を示す図
【図１０】従来の方式における基地局切替処理手段内の割込処理のフローチャート
【図１１】従来の方式における基地局切替処理のフローチャート
【図１２】従来の方式における基地局切替処理の課題を示す図
【図１３】従来の方式における切替対象基地局別の無線通信状態を示す図
【図１４】本発明の実施の形態１における無線端末の構成図
【図１５】本発明の実施の形態１における無線端末の構成におけるプロトコルスタック上の処理範囲を示す図
【符号の説明】
【０１０７】
１００    無線通信部
１０１    無線受信部
１０２    ＦＣＳ再計算部
１０３    受信判定部
１０４    受信割込発生部
１０５    フレーム廃棄部
１０６    フレーム分類部
１０７    基地局情報保持部
２０１    基地局情報更新部
３０１    タイマー部
９０１    ＲＳＳＩ移動平均値
９０２    ＦＥＲ移動平均値
【図１】
2007043260.tif 000003
【図２】
2007043260.tif 000004
【図３】
2007043260.tif 000005
【図４】
2007043260.tif 000006
【図５】
2007043260.tif 000007
【図６】
2007043260.tif 000008
【図７】
2007043260.tif 000009
【図８】
2007043260.tif 000010
【図９】
2007043260.tif 000011
【図１０】
2007043260.tif 000012
【図１１】
2007043260.tif 000013
【図１２】
2007043260.tif 000014
【図１３】
2007043260.tif 000015
【図１４】
2007043260.tif 000016
【図１５】
2007043260.tif 000017